(57)【要約】【課題】本発明は、筒状の空き缶を同軸的に挿入しうる筒状シューターを備え、同シューターの終端位置で下方へ平行移動した空き缶を、そのまま軸方向に圧縮して円盤状に加工してから、下方の貯留部へ落下させるようにすることにより、簡素な構成で能率よく大量の空き缶を処理できるようにした筒状シューター付き空き缶プレス装置を提供することを課題とする。【解決手段】斜めに配設された筒状シューター２の上端部の挿入口３から挿入された空き缶Ａは、ストッパー４に突き当たってから開口部５を通じ下方の加工室６内へ平行移動して、プレスシリンダ７のプレス部材７ａにより圧縮加工され、円盤状圧縮物Ａ′となって引き出し12内に貯留される。プレス部材７ａにはシャッター10が付設されているので、圧縮加工中に後続の空き缶Ａが加工室６内へ落下するのを防止できる。【選択図】  図１
2008161919.tif 000002
【特許請求の範囲】
【請求項１】
水平面に対し斜めに起立して配設された筒状シューターの上端部に、金属製の筒状空き缶を同軸的に挿入するための挿入口を備えるとともに、上記筒状シューターの下端部に、同シューター内を降下した上記空き缶を受け止めるためのストッパーと、同ストッパーまで到達した上記空き缶の下方への平行移動を許容しうる開口部とを備え、同開口部を通過した上記空き缶を受け入れて圧縮加工を行うための加工室と、同加工室内の上記空き缶に対し同空き缶の中心軸線方向に圧縮作動を行って円盤状に加工するためのプレスシリンダとが設けられたことを特徴とする、筒状シューター付き空き缶プレス装置。
【請求項２】
上記加工室の底部に、上記空き缶の着座を検知するセンサーが設けられるとともに、同センサーからの検知信号に基づいて上記プレスシリンダを作動させるための制御器が設けられたことを特徴とする、請求項１に記載の筒状シューター付き空き缶プレス装置。
【請求項３】
上記ストッパーと上記加工室の端壁とが一体に設けられるとともに、上記プレスシリンダのロッド先端に装着されたプレス部材が上記端壁との間に上記空き缶を挟持して圧縮加工を行うように構成されたことを特徴とする、請求項１または２に記載の筒状シューター付き空き缶プレス装置。
【請求項４】
上記プレス部材の上縁に、同プレス部材の上記空き缶に対する圧縮加工に伴い上記開口部を塞いで後続の空き缶の進入を阻止するためのシャッターが装着されていることを特徴とする、請求項３に記載の筒状シューター付き空き缶プレス装置。
【請求項５】
上記加工室の底部に、同加工室内で圧縮加工された上記空き缶の円盤状圧縮物を排出するためのスリットが形成されていることを特徴とする、請求項１〜４のいずれか１つに記載の筒状シューター付き空き缶プレス装置。
【請求項６】
上記の筒状シューター，加工室およびプレスシリンダを支持する架台が設けられるとともに、同架台の底部に、上記スリットを通じて落下する上記円盤状圧縮物を貯留するための把手付き引出し部材が設けられていることを特徴とする、請求項５に記載の筒状シューター付き空き缶プレス装置。
【発明の詳細な説明】
【技術分野】
【０００１】
本発明は、ジュース缶やコーヒー缶などの自動販売機に付設して好適の空き缶プレス装置に関し、特に空き缶を軸方向に挿入して圧縮しうる筒状シューター付き空き缶プレス装置に関する。
【背景技術】
【０００２】
一般に、ジュース缶などの空き缶については、その自動販売機に付設された投入口付き空き缶収納箱に投入することが行われているが、このような空き缶は嵩張るため、大型の収納箱を必要とするという不具合がある。
そこで、円筒状の空き缶を円盤状に圧縮処理したり、同空き缶を側面から圧縮処理して偏平状に加工したりすることの可能な空き缶圧縮機の開発が行われているが、従来のものでは装置が大掛かりとなったり、複雑化したりするという不具合がある。
【特許文献１】特開平５−１８５２９３号公報
【特許文献２】登録実用新案第３０１８６６６号公報
【発明の開示】
【発明が解決しようとする課題】
【０００３】
本発明は、筒状の空き缶を同軸的に挿入しうる筒状シューターを備え、同シューターの終端位置で下方へ平行移動した空き缶を、そのまま軸方向に圧縮して円盤状に加工してから、下方の貯留部へ落下させるようにすることにより、簡素な構成で能率よく大量の空き缶を処理できるようにした筒状シューター付き空き缶プレス装置を提供することを課題とする。
【課題を解決するための手段】
【０００４】
前述の課題を解決するため、本発明の筒状シューター付き空き缶プレス装置は、水平面に対し斜めに起立して配設された筒状シューターの上端部に、金属製の筒状空き缶を同軸的に挿入するための挿入口を備えるとともに、上記筒状シューターの下端部に、同シューター内を降下した上記空き缶を受け止めるためのストッパーと、同ストッパーまで到達した上記空き缶の下方への平行移動を許容しうる開口部とを備え、同開口部を通過した上記空き缶を受け入れて圧縮加工を行うための加工室と、同加工室内の上記空き缶に対し同空き缶の中心軸線方向に圧縮作動を行って円盤状に加工するためのプレスシリンダとが設けられたことを特徴としている。
【０００５】
また、本発明の筒状シューター付き空き缶プレス装置は、上記加工室の底部に、上記空き缶の着座を検知するセンサーが設けられるとともに、同センサーからの検知信号に基づいて上記プレスシリンダを作動させるための制御器が設けられたことを特徴としている。
【０００６】
さらに、本発明の筒状シューター付き空き缶プレス装置は、上記ストッパーと上記加工室の端壁とが一体に設けられるとともに、上記プレスシリンダのロッド先端に装着されたプレス部材が上記端壁との間に上記空き缶を挟持して圧縮加工を行うように構成されたことを特徴としている。
【０００７】
また、本発明の筒状シューター付き空き缶プレス装置は、上記プレス部材の上縁に、同プレス部材の上記空き缶に対する圧縮加工に伴い上記開口部を塞いで後続の空き缶の進入を阻止するためのシャッターが装着されていることを特徴としている。
【０００８】
さらに、本発明の筒状シューター付き空き缶プレス装置は、上記加工室の底部に、同加工室内で圧縮加工された上記空き缶の円盤状圧縮物を排出するためのスリットが形成されていることを特徴としている。
【０００９】
また、本発明の筒状シューター付き空き缶プレス装置は、上記の筒状シューター，加工室およびプレスシリンダを支持する架台が設けられるとともに、同架台の底部に、上記スリットを通じて落下する上記円盤状圧縮物を貯留するための把手付き引出し部材が設けられていることを特徴としている。
【発明の効果】
【００１０】
上述の本発明の筒状シューター付き空き缶プレス装置では、自動販売機などでジュース缶などを購入して、飲み干した利用客はその空き缶を筒状シューターの上端部における挿入口に同軸的に挿入するだけで、同空き缶は、上記シューターに沿い斜めに降下してストッパーに突き当たり、その姿勢のまま開口部を通じ下方へ平行移動して加工室へ入ることにより、同空き缶の中心軸線方向にプレスシリンダによる圧縮加工を受けて円盤状に加工されるので、著しく単純な動作で効率よく空き缶の圧縮処理が行われるようになる。
【００１１】
そして、上記加工室の底部に、上記空き缶の着座を検知するセンサーが設けられるとともに、同センサーからの検知信号に基づき上記プレスシリンダを作動させる制御器が設けられることにより、上記空き缶の挿入から圧縮加工までの一連の動作が自動的に能率よく行われるようになる。
【００１２】
また、上記ストッパーと上記加工室の端壁とが一体に設けられ、上記プレスシリンダのロッド先端のプレス部材が上記端壁との間に上記空き缶を挟持して圧縮加工を行うように構成されると、装置全体としての構造が著しく単純化されて、コストダウンに寄与することができる。
【００１３】
さらに、上記プレス部材の上縁に、同プレス部材の上記空き缶に対する圧縮加工に伴い上記開口部を塞いで後続の空き缶の進入を防止するシャッターが装着されることにより、前記筒状シューターの上端部における挿入口に空き缶が連続的に挿入されても、同空き缶の処理が１個ずつ確実に行われるようになる。
【００１４】
そして、上記加工室の底部に同加工室内で圧縮加工された上記空き缶の円盤状圧縮物を排出するためのスリットが形成されていると、同圧縮物は１個ずつ順次下方へ排出されるので、上記加工室における後続の空き缶の圧縮加工が支障なく行われるようになる。
【００１５】
また、上記の筒状シューター，加工室およびプレスシリンダを支持する架台が設けられて、同架台の底部に、上記スリットを通じて落下する円盤状圧縮物の貯留部としての把手付き引き出し部材が設けられることにより、圧縮処理された大量の空き缶の搬出処理を著しく簡便に行うことが可能になる。その際、圧縮処理済みの空き缶の搬出は、引出しごと行うようにして、予め用意した空の引出しを本装置に装着することができる。
【実施例】
【００１６】
図１は本発明の一実施例としての筒状シューター付き空き缶プレス装置を示す説明図である。
図１に示すように、架台１に支持された円筒状シューター２が、水平面に対し斜めに起立して配設されており、同シューター２の上端部には、自動販売機などで販売されるジュース缶やコーヒー缶などを飲み干した後の金属製の筒状空き缶Ａを同軸的に挿入するための挿入口３が形成されている。
【００１７】
また、シューター２の下端部には、同シューター２内を降下した空き缶Ａを受け止めるためのストッパー４と、同ストッパー４まで到達した空き缶Ａの下方への平行移動を許容しうる開口部５とが設けられている。
【００１８】
そして、開口部５を通過して下方へ落下した空き缶Ａを受け入れて圧縮加工を行うための加工室６も設けられており、同加工室６はシューター２に対し結合板４ａを介して結合されている。
さらに、加工室６内の空き缶Ａに対し同空き缶Ａの中心軸線方向に圧縮作動を行って円盤状に加工するための油圧式または電動式のプレスシリンダ７が、シューター２に対し平行に且つ加工室６と一体に設けられている。
【００１９】
加工室６の底部には、空き缶Ａの着座を検知するセンサー８が設けられ、またセンサー８からの検知信号に基づいてプレスシリンダ７を作動させるための制御器９が架台１内に設置されている。
【００２０】
ストッパー４と加工室６の端壁６ａとは一体に設けられており、プレスシリンダ７のロッド先端に装着されたプレス部材７ａが、端壁６ａとの間に空き缶Ａを挟持して圧縮加工を行うように構成されている。
【００２１】
押圧シリンダ７の所要押圧動力の節減を図るため、プレス部材７ａの空き缶Ａに対する押圧面は、同押圧面の進行方向に対して２〜８度（好ましくは５度）の傾斜角を有するように設定される。
なお、空き缶Ａの周縁部の剛性に対処するため、プレス部材７ａの周縁部に押凸部または刃型を形成するようにしてもよい。
【００２２】
そして、プレス部材７ａの上縁には、同プレス部材７ａの空き缶Ａに対する圧縮加工に伴い開口部５を塞いで後続の空き缶Ａの進入を阻止するためのシャッター10が装着されている。
【００２３】
また、加工室６の底部には、同加工室６の内部で圧縮加工された空き缶Ａの円盤状圧縮物Ａ′を排出するためのスリット11が形成されている。
【００２４】
筒状シューター２，加工室６およびプレスシリンダ７を支持する架台１の底部内には、スリット11を通じて落下する空き缶Ａの円盤状圧縮物Ａ′を貯留するための把手12ａ付き引き出し12が設けられている。
【００２５】
上述の本実施例の筒状シューター付き空き缶プレス装置では、自動販売機などでジュース缶などを購入して飲み干した利用客は、その空き缶Ａを筒状シューター２の上端部における挿入口３に同軸的に挿入するだけですみ、同空き缶Ａは、シューター２に沿い斜めに降下してストッパー４に突き当たり、その姿勢のまま開口部５を通じ下方へ平行移動して加工室６へ入ることにより、同空き缶Ａの中心軸線方向にプレスシリンダ７による圧縮加工を受けて円盤状に加工されるので、著しく単純な動作で効率よく空き缶Ａの圧縮処理が行われるようになる。
【００２６】
そして、加工室６の底部に、空き缶Ａの着座を検知するセンサー８が設けられるとともに、同センサー８からの検知信号に基づきプレスシリンダ７を作動させる制御器９が設けられることにより、空き缶Ａの挿入から圧縮加工までの一連の動作が自動的に能率よく行われるようになる。
【００２７】
また、ストッパー４と加工室６の端壁６ａとが一体に設けられ、プレスシリンダ７のロッド先端のプレス部材７ａが端壁６ａとの間に空き缶Ａを挟持して圧縮加工を行うように構成されているので、装置全体としての構造が著しく単純化されて、コストダウンに寄与することができる。
【００２８】
さらに、プレス部材７ａの上縁に、同プレス部材７ａの空き缶Ａに対する圧縮加工に伴い開口部５を塞いで後続の空き缶Ａの進入を防止するシャッター10が装着されることにより、筒状シューター２の上端部における挿入口３に空き缶Ａが連続的に挿入されても、同空き缶Ａの処理が１個ずつ確実に行われるようになる。
【００２９】
そして、加工室６の底部に同加工室６内で圧縮加工された空き缶Ａの円盤状圧縮物Ａ′を排出するためのスリット11が形成されているので、同圧縮物Ａ′は１個ずつ順次下方へ排出されるようになり、加工室６における後続の空き缶Ａの圧縮加工が支障なく行われるようになる。
【００３０】
また、筒状シューター２，加工室６およびプレスシリンダ７を支持する架台１の底部に、スリット11を通じて落下する円盤状圧縮物Ａ′の貯留部としての把手12ａ付き引き出し部材12が設けられることにより、圧縮処理された大量の空き缶（円盤状圧縮物Ａ′）の搬出処理を著しく簡便に行うことが可能になる。その際、圧縮処理済みの空き缶としての円盤状圧縮物Ａ′の搬出は、引出し12ごと行うようにして、予め用意した空の引出しを本装置に装着することができる。
【図面の簡単な説明】
【００３１】
【図１】本発明の一実施例としての筒状シューター付き空き缶プレス装置を示す説明図である。
【符号の説明】
【００３２】
１  架台
２  シューター
３  挿入口
４  ストッパー
４ａ  結合板
５  開口部
６  加工室
６ａ  端壁
７  プレスシリンダ
７ａ  プレス部材
８  センサー
９  制御器
10  シャッター
11  スリット
12  引き出し
12ａ  把手
Ａ  空き缶
Ａ′  円盤状圧縮物
【図１】
2008161919.tif 000003